(57)【要約】  ヘアスタイリング装置は、スタイリングロッドと、そのスタイリングロッドに連結されたハンドルとを含み、保持装置と、その保持装置に連結された旋回キャップとを特徴とする。キャップは、開口位置と閉鎖位置との間を旋回可能であり、ガスカートリッジ用ハウジングを閉鎖する為に用いられる。キャップの内側は、自由端接触部分の領域内に特徴があり、これらは、キャップの閉鎖の際、その装置の軸方向におけるガスカートリッジに変位力を作用させるように構成されている。その結果、キャップを閉鎖することにより、ガスカートリッジは、直接、動作位置に移動され、その間、ニードルバルブは、ガスカートリッジを置き換えることによりガスカートリッジのバルブ内に挿入される。さらに、保持装置に対するリンク領域において、キャップはクランプを特徴とし、キャップの開放の際、ヘアスタイリング装置のハンドル端部に向かって装置の長手方向においてガスカートリッジに軸方向の変位力を作用させるので、それは取り外し位置になる。【選択図】  図１
2008543392.tif 000002
【特許請求の範囲】
【請求項１】
スタイリングロッド（２）と、前記スタイリングロッド（２）に連結されたハンドル（３）とを含むヘアスタイリング装置において、
前記ハンドル（３）は、ガスカートリッジ（６）を受容するように構成され、保持装置に特徴がある前記ヘアスタイリング装置であって、
前記ハンドル（３）は、キャップ（４）に特徴があり、前記キャップ（４）は、前記保持装置（５）に連結され、ガスカートリッジ（６）用ハウジングを閉鎖する為に、開放位置と閉鎖位置との間を旋回することを特徴とする、前記ヘアスタイリング装置。
【請求項２】
開放位置で前記キャップ（４）を固着する為にスナップ係合手段が備えられていることを特徴とする、請求項１に記載のヘアスタイリング装置。
【請求項３】
前記キャップ（４）を閉鎖する処理中、前記ハウジング内に挿入されるべき前記ガスカートリッジ（６）が前記スタイリングロッド（２）に向かって前記装置の長手方向において軸方向に変位可能であることを特徴とする、請求項１または２に記載のヘアスタイリング装置。
【請求項４】
前記キャップ（４）の内部は、その自由端領域において、アタッチメント（１３，１４）に特徴があり、前記アタッチメント（１３，１４）は、前記ガスカートリッジに取り付けられることにより前記キャップ（４）を閉鎖する際、前記スタイリングロッド（２）の方向において、前記ガスカートリッジ（６）に変位力を作用させることを特徴とする、請求項１〜３のいずれか一項に記載のヘアスタイリング装置。
【請求項５】
前記キャップ（４）を開放する際、前記ガスカートリッジ（６）は、前記スタイリングロッド（２）から離れて前記装置の軸方向において取外し位置へと変位可能であることを特徴とする、請求項１〜４のいずれか一項に記載のヘアスタイリング装置。
【請求項６】
前記保持装置（５）へのリンク領域において、前記キャップ（４）の内部は、突起（２０）を有し、前記突起（２０）は、前記キャップ（４）の開放処理中、前記ガスカートリッジ（６）で前記スタイリングロッド（２）から離れる変位力を導入するように構成されていることを特徴とする、請求項１〜５のいずれか一項に記載のヘアスタイリング装置。
【請求項７】
前記ハンドル（３）は、開放機構に特徴があり、前記キャップ（４）を閉鎖位置の外に解放位置へと持ち上げることを特徴とする、請求項１〜６のいずれか一項に記載のヘアスタイリング装置。
【請求項８】
前記キャップ（４）の内部は少なくとも一つのバネ荷重要素（１５）に特徴があり、前記キャップ（４）を閉鎖位置から解放位置へと持ち上げることを特徴とする、請求項７に記載のヘアスタイリング装置。
【請求項９】
前記開放機構は、起動要素（９）により起動可能であり、前記起動要素（９）は、前記ハンドル（３）の端部で皿穴が配置されていることを特徴とする、請求項７または８に記載のヘアスタイリング装置。
【請求項１０】
前記保持装置（５）は、その端部で壁部分（８）に特徴があり、前記壁部分（８）は、前記内部に延びており、前記ガスカートリッジ（６）用ハウジングを拘束することを特徴とする、請求項１〜９のいずれか一項に記載のヘアスタイリング装置。
【請求項１１】
前記壁部分（８）と前記キャップ（４）は、形状適合型スナップ係合結合（a form-fit snap-on connection）を形成するように構成されていることを特徴とする、請求項１０に記載のヘアスタイリング装置。
【請求項１２】
前記起動要素（９）は、前記スナップ係合結合を解放する為にバネ張力に抗して起動可能であることを特徴とする、請求項１〜１１のいずれか一項に記載のヘアスタイリング装置。
【請求項１３】
前記バネ張力は、単体のバネ荷重要素（１５）から引き出され、前記バネ荷重要素（１５）も、前記開放機構を起動する為に備えられていることを特徴とする、請求項１２に記載のヘアスタイリング装置。
【請求項１４】
前記キャップ（４）は、その端部でスナップ係合要素（７）に特徴があり、スナップ係合結合を形成する為に少なくとも一つのラッチ（１１，１２）を備えることを特徴とする、請求項１１〜１３のいずれか一項に記載のヘアスタイリング装置。
【請求項１５】
前記保持装置（５）と前記キャップ（４）は、整合外部表面に特徴があり、前記整合外部表面は、互いに補充し、閉鎖位置に円筒形状を形成し、ここで、前記保持装置（５）の前記外部表面は、前記スタイリングロッド（２）の反対側の端部に向かってテーパが形成されていることを特徴とする、請求項１〜１４のいずれか一項に記載のヘアスタイリング装置。
【発明の詳細な説明】
【技術分野】
【０００１】
本発明は、ハンドルと、そのハンドルに連結されたスタイリングロッドとを含むガス動作式ヘアスタイリング装置に関する。
【背景】
【０００２】
成形（特に、髪をまっすぐにしたり、カールをかけたり、ウェーブをかけたりすること）用スタイリングロッドを含むヘアスタイリング装置であって、髪がトング間で互いに向き合い、トングが開放状態と閉鎖状態との間を移行可能である上記スタイリング装置が従来技術で知られている。例えば、ＷＯ２００４／０１９７２３号公報は、前述した種類のガス動作式ヘアスタイリング装置であって、ヘアスタイリング装置のハンドル内に交換可能なガスカートリッジを有するものが示されている。
【０００３】
この場合、ガスカートリッジ用ハウジングは、取り外し可能な閉鎖用キャップにより閉鎖されるが、このキャップは、カートリッジが交換されるとき（すなわち、カートリッジがハンドルから取り外されなければならないとき）、ハンドルから取り外される。空のガスカートリッジを取り外すため、使用者は、それをハンドルのハウジングから取り外す為にニードルバルブからガスカートリッジを手動で外さなければならない。新品のガス充填カートリッジを挿入するため、ガス抜きの為に備えられたニードルバルブにカートリッジを手動で取り付ける必要がある。最後に、使用前に、使用者は、閉鎖用キャップによりハンドルを閉鎖しなければならない。
【０００４】
ユーザフレンドリと扱い易さという点で、交換処理に欠点がある。なぜなら、使用者が、数個の部品（すなわち、ハンドル、閉鎖用キャップ）を扱わなければならない一方、使用者は、閉鎖用キャップが再び正確かつ特定方向にハンドルで配置されることを確実にしなければならないからである。
【０００５】
特に一実施形態において、閉鎖用キャップは、ハンドルの端部で配置され、スナップ機構によりハンドルから取り外されるように構成され、ヘアスタイリング装置が使用中である間にカートリッジが交換されなければならない場合、損傷の危険性が高まる。そのような実施において、ハンドルの安全な取り扱いは、閉鎖用キャップが取り外された後、非常に限られた方法でのみ可能である。特に、閉鎖用キャップを分離するプロセスは、ハンドルを滑り落とす原因になり、その結果、使用者の手が熱いスタイリングロッドに触れる場合がある。
【０００６】
さらに、取り外し可能な閉鎖は、少なくとも部分的に、誘導長と入口誘導に必要な空間を与えるハンドルの二重壁構成を必要とする。特に、構成部品のサイズと重量を減らす為に構成される携帯型ヘアスタイリング装置に関し、少なくとも部分的に二重壁型ハンドルの実施形態は、本質的に不都合である。さらに、ヘアスタイリング装置のハンドルと、取り外し可能な閉鎖用キャップとの間の分離可能な連結は、通常、使用者に、より不安定な装置を扱うという印象の原因になる。
【０００７】
そのため、ガスカートリッジを交換する際に装置の取り扱いを改善するヘアスタイリング装置が必要である。
【発明の概要】
【０００８】
本発明の一態様によると、ヘアスタイリング装置は、スタイリングロッドと、そのスタイリングロッドに連結されたハンドルと、を含む。ハンドルは、ガスカートリッジを受容するように設定され、保持装置と、ガスカートリッジ用ハウジングを閉鎖するためのピボット式キャップとに特徴がある。ピボット式キャップは、保持装置に連結され、開放位置と閉鎖位置との間を旋回することができる。
【０００９】
ピボット式キャップは、ヘアスタイリング装置の使用者が、ガスカートリッジを交換しなければならない場合、ヘアスタイリング装置の幾つかの構成部品を扱わなければならないことを防止する。ピボット式キャップは、ヘアスタイリング装置のハンドルの一体部として構成されているので、ガスカートリッジを変える処理中、取り外し可能な閉鎖部品は、例えば、誤って配置され、破損され、ハンドルに間違って連結され得ることが有効に避けられる。閉鎖用キャップは、最早、カートリッジを変える為に分離される必要がないので、使用者が熱いスタイリングロッドに触れて火傷することも避けられる。
【００１０】
通常、ピボット式キャップは、固定された旋回軸周りを回転可能であり、ハウジングの間違った閉鎖を防止する。
【００１１】
さらに、閉鎖用キャップは、単一壁の実施形態に係る保持装置を考慮に入れており、保持装置は、従来技術による装置と比較すると、保持装置のサイズを相当に減らす。
【００１２】
本発明の一部の実施形態において、ヘアスタイリング装置は、スナップ係合手段を含み、開放位置でキャップを固着する。例えば、使用者がキャップを閉鎖位置から開放位置に移行または旋回させる場合、スナップ係合機構は、キャップが開放位置で停止または固着されるようにする。開放位置では、ガスカートリッジ用ハウジングは、特に簡単にアクセスされ、キャップが開放位置で固着されているという点で、ガスカートリッジ取り外し又は挿入する処理中にキャップが閉鎖位置へと自動的に切り替わることを防止する。そのため、開放位置における固着は、ガスカートリッジを変える処理中のヘアスタイリング装置の扱い易さとユーザフレンドリの度合いを相当に高める。
【００１３】
本発明の一部の実施形態において、装置の長手方向で軸方向にスタイリングロッドに向かって閉鎖する処理中、ガスカートリッジは、保持装置のハウジング内に挿入可能であるが、動作位置に入り込むことが可能である。動作位置において、ガスカートリッジは、ピン又はニードルバルブ上で押され、カートリッジからガスが抽出される。したがって、ガスカートリッジ用ハウジングは、動作位置と取り外し位置との間でガスカートリッジの軸方向の移動を許容する。取り外し位置において、ガスカートリッジは、通常、ピン又はニードルバルブから分離され、ハウジングから直接、取り外される。取り外し位置と比較すると、動作位置において、カートリッジは、スタイリングロッドに向かって移動される。一方、取外し位置は、スタイリングロッドから遠く離れて配置されている。
【００１４】
本発明の一部の実施形態において、キャップの内部は、その自由端領域の接触部品に特徴があり、これらの接触部品は、キャップの閉鎖の際、スタイリングロッドの方向でガスカートリッジに変位力を作用させる。キャップの自由端は、旋回軸の反対側の端部である。接触部品は、例えば、角面のように構成可能であり、これらの角面は、放射方向または垂直力を軸方向または水平変位力に切り替えることができ、これにより、変位力がガスカートリッジに働き、ガスカートリッジを動作位置に達するまでスタイリングロッドの方向に移動させる。
【００１５】
接触部品と、キャップに作用する力の、関連した切り替えが達成することは、まさにキャップの閉鎖で、ガスカートリッジが自動的にピンまたはニードルバルブに押され、ガスを抽出することである。これにより、従来技術で構成されていたように、ニードルバルブのピンでガスカートリッジを手動で押すことが不要になる。
【００１６】
本発明の一部の実施形態において、キャップは、その内部で、保持装置に対するリンク領域内に突起を有する。この突起は、キャップを開放する際、スタイリングロッドから離れてガスカートリッジに変位力を作用させるように構成されている。この突起は、旋回軸から離間され、キャップと共に堅い部分を形成するように配置されている。その結果、キャップを開放する際、突起は、ガスカートリッジに付き、ガスカートリッジは、その代わり、自動的にピンまたはニードルバルブから引っ張られる。
【００１７】
これらの実施形態は、ヘアスタイリング装置の更なる改良を含む。なぜなら、従来技術と比較すると、ピンまたはニードルバルブからガスカートリッジを手動で取り外す必要や、引っ張る必要が最早なくなるからである。したがって、キャップが開放された後、特に、キャップが開放位置へ固着された後、使用済みのカートリッジは、ピンから取り外され、ハウジングに付かない状態になるので、使用者は、ユーザフレンドリかつ容易にハウジングからガスカートリッジを取り外すことができる点で特に有利である。
【００１８】
本発明の更なる実施形態によると、保持装置は、キャップを閉鎖位置から解放位置まで持ち上げる開放機構に特徴がある。キャップの閉鎖位置において、キャップと保持装置は、通常、同一平面で互いに取り付けられているので、閉鎖位置からキャップを持ち上げることは、例えばスムーズな表面構造のため、限定された範囲でのみ可能である。しかしながら、解放位置において、キャップは少なくとも少しだけキャップと保持装置との間に隙間を形成し、これにより、キャップを取り出す又は持ち上げることが相当に容易になる。さらに、開放機構は、キャップの自由端を閉鎖位置から解放位置まで自動的に持ち上げる目的に役立つ。
【００１９】
本発明の一部の実施形態において、キャップの内部は、キャップを閉鎖位置から持ち上げる為に少なくとも一つのバネ荷重要素に特徴がある。例えば、キャップの閉鎖の際、このバネ荷重要素は、張力がかけられ、キャップが開放される又は固着されなくなる場合に、バネ荷重要素に蓄えられたバネエネルギがキャップを解放位置に持ち上げることを可能にする。そのため、バネ荷重要素は、例えば、キャップが閉鎖される場合にはガスカートリッジに対して張力がかけられる。
【００２０】
本発明の一部の実施形態において、開放機構は、アンロック装置により動作可能であり、アンロック装置は、保持装置の端部で、好ましくは、皿穴が開けられている。例えば、アンロック装置は、鍵または押しボタン、スライダ又はボタンとして構成可能である。ハウジングの表面における皿穴配置は、開放機構が思いがけずに起動することを防止し、どの位置にヘアスタイリング装置が置かれても開放機構が思いがけずに起動しないことを可能にする。
【００２１】
アンロック装置の起動は、キャップと保持装置間の連結または固着装置の解放し、キャップに対し予張力がかけられたバネ荷重要素を押し、キャップを解放位置に移動させるということに役立つ。本発明の一部の実施形態において、保持装置は、その端部で、壁部分に特徴があり、壁部分は、内部に伸び、ガスカートリッジ用ハウジングを制限する。この壁部分は、保持装置におけるヘアスタイリング装置のハンドルの端部で構成され、キャップが開放される場合、ガスカートリッジが思いがけずにスライドすることを防止する。例えば、キャップが開放位置にあり、ハンドル端部が下方を指す方向にヘアスタイリング装置が保持される場合、壁部分は、ガスカートリッジの為の停止位置を形成するので、ガスカートリッジは、装置の長手方向に軸方向にハウジング内で自由に移動する。ガスカートリッジをハウジングの外に取り出す為に、制限壁部分の上方にガスカートリッジを僅かに持ち上げることが必要であるが、これは、通常、使用者側で追加の移動が必要になる。この方法では、ガスカートリッジの制御できないスリップが広く避けられる。
【００２２】
本発明の一部の実施形態において、壁部分とキャップは、形状適合型スナップ係合結合（a form-fit snap-on connection）を形成するように構成されている。したがって、キャップの閉鎖位置において、キャップの部品と壁部分は、部分的に重複して配置され、スナップ係合結合を形成する。そのため、壁部分及び／又はキャップは、整合スナップ要素に特徴がある。
【００２３】
本発明の一部の実施形態において、アンロック装置は、スナップ係合結合を解放する為にバネ張力に対し起動可能である。アンロック装置は、保持装置の壁部分またはキャップで配置可能である。アンロック装置を起動することにより、スナップ係合結合の構成に依存して、ラッチまたは対応する逃げ溝部は、バネ張力に抗して移動され、スナップ係合結合を解放する。ラッチまたは対応する逃げ溝部は、壁部分またはキャップで配置可能である。
【００２４】
本発明の一部の実施形態において、スナップ係合結合を解放する為のバネ張力は、単体バネ荷重要素から得られ、これは、また、開口機構を起動する為に備えられている。例えば、単体バネ荷重要素は、その端部で位置されたアンロック要素に一端が接触し、挿入されたガスカートリッジの円筒表面またはシェルに他端が接触する方法で、矩形バネ要素をキャップの内側に形成するように配置可能である。
【００２５】
本発明の一部の実施形態において、キャップは、端部で、少なくとも一つのラッチを備えたスナップ係合要素であって、保持装置の壁部分と共にスナップ係合結合を形成する上記スナップ係合要素に特徴がある。スナップ係合要素は、壁部分で受容するように構成され、スナップ係合要素が壁部分に寄りかかる場合、そのラッチが、対応する逃げ溝部に係合可能になり、形状適合型スナップ係合結合を形成する。
【００２６】
本発明の一部の実施形態において、保持装置とキャップは、整合外部表面に特徴があり、これらの整合外部表面は、互いに補充しあい、閉鎖位置で円筒形状を形成する。保持装置の外部表面は、端部に向かってテーパが形成されている。そのため、ハンドルの端部の領域において、キャップは、閉鎖位置において、挿入されたガスカートリッジの半径方向周辺部の半分以上を囲むことができる。キャップが開放される場合、そのような構成は、挿入されたガスカートリッジを使用者が中位の中心線の下で親指と人差し指の間で把持して持ち上げることを可能にする。そのため、キャップが開放される場合、カートリッジの側部領域は、簡単にアクセスすることができ、カートリッジを変える処理中に装置を取り扱う点で有利な効果がある。また、スタイリングロッドを指す端部の方向において、保持装置の外部表面は、挿入されたガスカートリッジをキャップ以上に包囲するように構成されてきた。保持装置の表面を関連付けて最大にすることは、カートリッジを変える処理中、全体のヘアスタイリング装置を取り扱う為に特に有利である。例えば、使用者は、キャップが開放される場合、片手でヘアスタイリング装置を安全に保持することができる。
【００２７】
以下の図面の説明は、本発明の実施態様適用の、更なる目的、利点、特徴、形式を示す。記載及び／又は例示された全ての特徴は、本発明の単独または組合せにおいて、代表的なものである。
【詳細な説明】
【００２８】
図１は、ヘアスタイリング装置１の斜視図であり、ヘアスタイリング装置１は、スタイリングロッド２と、付随するハンドル３と、を有する。ハンドル３のハウジングは、保持装置５と、保持装置５で旋回するキャップ４とに分けられる。開放位置では、ピボット式キャップ４は、ハウジングをむきだしにし、ガスカートリッジ６を受容するように構成されている。使用者は、保持装置５により拘束されているハウジング内にガスカートリッジ６を挿入することができる。キャップ４を閉鎖することにより、キャップ４は動作位置へと押される。端部、すなわちスタイリングロッド２の反対側の側部で、保持装置５は、壁部分８を有し、壁部分８は、内部に伸び、内部は、ハンドル端部に向かってガスカートリッジ６用ハウジング領域を制限し、結果的に、キャップが開放されている間、ガスカートリッジ６が長手方向で軸方向にハウジングから外に滑り出すことを防止する。
【００２９】
キャップ４は、その端部でスナップ係合要素７を有し、スナップ係合要素７は、保持装置５の壁部分８と共に形状適合結合を形成するように構成されている。スナップ係合要素７は、少なくとも一つ、好ましくは２つのラッチ１１，１２に特徴があり、これらは、壁部分８の、対応する逃げ溝部に係合するように構成されている。起動要素またはボタン９を起動することにより、スナップ係合要素７と２つのラッチ１１，１２は、スタイリングロッド２に向かって軸方向に移動され、スナップ係合要素７と壁部分８との間のスナップ係合結合を解放し、キャップ４を開放する。
【００３０】
表された実施形態において、キャップ４と保持装置５は、外部表面を有し、外部表面は、互いに補充し合って円筒形状を形成し、ここで、保持装置５の外部表面は、ハンドル端部に向かってテーパが形成されている。その結果、キャップ４は、ハンドル３の端部で、保持装置５より広い半径方向周辺部を有するので、中位の中心線の下で、ガスカートリッジ６は、壁部分８の上方に持ち上げられ、使用者は、親指と人差し指の間でガスカートリッジを把持し、ハウジングの外にガスカートリッジを簡単に持ち上げることができる。
【００３１】
保持装置５の外部表面の半径方向周辺部は、スタイリングロッド２の方向において同一のままである。しかし、それは、キャップ４より広く構成されることが好ましい。これは、保持装置５の半径方向の周辺部またはシェルを最大にすることに役立ち、使用者は、ハンドル３すなわち全体のヘアスタイリング装置１を片手で安全に、カートリッジを交換する間に滑ることなく、保持することができることを確実にする。
【００３２】
さらに、ヘアスタイリング装置１は、ハンドルにおいて２つのスイッチ１７，１８に特徴があり、これらのスイッチ１７，１８は、例えばキースイッチ、ロッカースイッチ、スライドスイッチとして構成可能であり、スタイリングロッド２の可動要素を動作する又は温度を調整する目的を有する。
【００３３】
ガスカートリッジ６は、動作位置と取り外し位置との間で、ヘアスタイリング装置１の長手方向において、軸方向に移動可能である。特に、ガスカートリッジは、キャップを開放する処理中に取り外し位置に押され、キャップ４の閉鎖処理中に動作位置に押される。動作位置において、カートリッジ６の左端部は、図２の斜視図で示されるように、ニードルバルブ又はピン１０上に押される。そのため、キャップ４を閉鎖する処理中、ガスカートリッジ６は、ピン１０へと押され、結果的に、使用者が更なる相互作用または起動することなく、ヘアスタイリング装置を動作するのに必要なガスカートリッジ６からガスを抽出する。
【００３４】
例えばキャップ４内部に配置された接触部品（角面など）によるキャップ４の下降を通じて、ガスカートリッジ６はピン１０へと押される。ハンドルを閉鎖する際、キャップ４が、挿入されたガスカートリッジ６に取り付けられる場合、キャップ４の内部に配置された角面は、スタイリングロッド２に向かって軸方向長手方向に、外側から垂直にキャップ４に作用する力を、基本的に水平に作用される変位力に変える。その結果、図２に示されるように、一部の従来技術のように、ピン１０にガスカートリッジ６を手動で挿入または押すことは不要である。これは、ヘアスタイリング装置１の扱い易さとユーザフレンドリの点で有利な効果がある。
【００３５】
リンク領域（すなわち、旋回軸１９の領域）内で、キャップ４は、ラッチ又はクランプ２０に特徴があり、これは、キャップ４を開放する際、ガスカートリッジ６がハンドル端部に向かって取り外し位置に押されるという目的に役立つ。したがって、キャップ４を開放する際、ガスカートリッジ６は、ピン１０から引き離される。その結果、キャップ４が開放される場合、ガスカートリッジは、保持装置５のハウジング内に基本的に緩く置かれ、ハンドル３の壁部８の上方にガスカートリッジを簡単に持ち上げることにより取り外すことが可能である。
【００３６】
図２は、ガスカートリッジ６が取り外された図１に対応するヘアスタイリング装置１の斜視図を示す。図２に示される図において、ガスカートリッジ６からガスを抽出するように構成されているニードルバルブ又はピン１０が、明らかに見られる。
【００３７】
図３は、キャップ４が開放され、ガスカートリッジ６が取り外されたハンドル３の更なる斜視図を示す。この図は、起動要素９を明らかに示し、起動要素９は、キャップ４の端部で皿穴が開けられ、キャップ４を開放する為のスナップ係合機構が備えられている。図３は、また、キャップ４の端部から突き出た２つのラッチ１１，１２を備えたスナップ係合要素を示す。
【００３８】
キャップ４が閉鎖位置にある場合、突起１６は、ガスカートリッジ６の為のハウジングの内部領域に延びる壁部分８に配置されているが、スナップ係合要素７の２つのラッチ１１，１２の為の逃げ溝部を形成する。ボタン形状で構成された起動要素９を押し下げることにより、スナップ係合要素７は、スタイリングロッド２の方向に移動され、保持装置５の壁部分８とキャップ４との間のスナップ係合結合を解放する。
【００３９】
ボタン９は、バネ張力に抗して押し下げられ、バネ張力は、キャップ４が意図せずに開放されることが専ら不可能であることを確実にしている。ボタン９の皿穴配置は、例えば、ヘアスタイリング装置１がハンドル３の端部に押し下げられる場合、キャップ４が開放されないという利点も有する。したがって、キャップが意図せずに開放されることが効率よく防止される。
【００４０】
図４は、キャップ４の内部の斜視図を示し、キャップ４は、その緩やかな端部で内部に特徴（すなわち、スタイリングロッド２の反対側の端部にスナップ係合要素、２つの角面１３，１４，矩形バネ要素１５）がある。キャップ４を閉鎖する処理中、角面１３，１４の両方は、挿入されたガスカートリッジ６に取り付けられる。閉鎖位置でキャップ４を更に押し下げることにより、スタイリングロッドに対し長手方向に軸方向の変位力が、ガスカートリッジに作用され、ガスカートリッジ６がピン又はニードルバルブ１０に押されることが確実になる。
【００４１】
ここで表された実施形態において、単体で構成されたバネ要素１５は、二つ折り機能を有する。一方、キャップ内部の上側部に配置されたバネ要素１５は、スナップ係合要素が壁部分８から解放される場合、バネに対してキャップ４を開放させる。キャップ４の閉鎖位置において、バネ要素１５は、ガスカートリッジ６に取り付けられ、キャップ４を閉鎖する処理中に張力がかけられる。スナップ係合機構が開放される場合、バネ要素１５は、張力を解放し、キャップ４は、閉鎖位置から解放位置に移行され、キャップ４と保持装置５との間に隙間を形成する。解放位置において、キャップ４は、通常、ヘアスタイリング装置１の中心線に向かって開放角度を有する。キャップ４と保持装置５との間に形成される隙間は、キャップ４が安全かつ簡単に把持され、完全にキャップ４を開放することを確実にする。
【００４２】
一方、スナップ係合要素７に取り付けられた部品により、バネ要素１５は、バネ張力を作用させ、起動要素９が押し下げられることを防止し、スナップ係合要素７の２つのラッチ１１，１２が常に所定位置で固着することを保証する。
【００４３】
スナップ係合要素とキャップ４の為の開放機構が、それぞれバネ要素により起動される他の実施形態が可能である。例えば、そのような実施形態において、２つの別個のバネよそは、キャップ４の内側部（例えば、スナップ係合要素７と、キャップ４のあらゆる場所）に配置可能である。
【００４４】
図５は、キャップ４が開放され、ガスカートリッジ６が抽出された保持装置５の内側斜視図をしめす。内部に延びる壁部分８が、明らかに見られる。一方、この壁部分は、ガスカートリッジ６が、保持装置５により形成されたシェルから滑り出ることを防止する。他方、壁部分は、所定位置に固着するようにキャップ４のスナップ係合要素７の為の逃げ溝を形成する。
【００４５】
さらに、指摘されている点は、例えば、起動要素９も、保持装置５に適切に配置可能であることである。さらに、スナップ係合要素７は、また、保持装置５に配置可能であり、スナップ係合要素７に係合する壁部分８は、キャップ４に配置可能である。他の実施形態において、スナップ係合機構も、変位要素または回転要素により解放可能である。
【００４６】
図６は、キャップ４が閉鎖され、ガスカートリッジ６が挿入されたヘアスタイリング装置１を通る半径方向の横断面を示す。ヘアスタイリング装置１を動作する為の起動要素１７，１８の両方は、これらがヘアスタイリング装置１の円筒シェルから突き出ているので、明らかに見ることができる。さらに、横断面Ａ−Ａ，Ｂ−Ｂ，Ｅ−Ｅ，Ｆ−Ｆが引かれ、これらの断面図は図７から図１１に示されている。
【００４７】
図７は、キャップ４が閉鎖されたハンドル３の端部を通る、切断Ｅ−Ｅを通る横断面を示す。左下縁部で、どのように壁部分８により形成された各逃げ溝にラッチ１２が係合するのかが分かる。また、ボタン９は、スナップ係合要素７に直接相互作用することが示され、スナップ係合要素７は、ラッチ１２を備えた単体を形成することも示されている。したがって、ボタン９を押し下げることにより、スナップ係合機構を解放させ、キャップ４をバネ４に対し、バネよそ１５がガスカートリッジ６のシェルに付くバネ張力の為に開放させる。同一方法で、垂直に配置されたバネ要素１５は、ラッチ１２を閉鎖位置に保つ。
【００４８】
図８は、図７に対応する切断Ｆ−Ｆに沿った横断面を示す。この横断面において、キャップ４の角面１４は、明らかに見られる。キャップ４が押し下げられる場合、キャップ４はガスカートリッジ６の左端部に取り付けられるようになり、ガスカートリッジ６を右に（すなわち、スタイリングロッドの方向に）変位させる。そのため、角面１４により、キャップ４に作用される垂直力は、ガスカートリッジ上の右に水平に作用される力に変えられる。
【００４９】
図９は、図６に表示されたように、キャップ４が開かれた横断線Ａ−Ａに沿った横断部を示す。キャップ４の旋回軸１９と、キャップ４に連結されたクランプ要素２０は、取り外し位置にガスカートリッジ６を変位させる（すなわち、保持装置５の壁部分８に向かって変位させる）。
【００５０】
キャップ４の開放の際、クランプ要素２０は、突起を形成するが、ガスカートリッジ６の左側部の前部表面に付くようになる。キャップ４を開放する処理中、旋回軸１９に関する配置と幾何学的形状のため、クランプ要素２０は、ガスカートリッジ６がニードルバルブ１０から引き離すことを可能にする。
【００５１】
図１０は、図９に対応する、キャップ４が閉鎖されたハンドル３を通る横断部を示す。図９の横断部と比較すると、ここでは、ガスカートリッジ６が左側部に向かって変位され、その結果、ニードルバルブ１０がガスカートリッジ６のバルブ２４内に挿入される。キャップ４は、閉鎖されるので、クランプ要素２０は、ガスカートリッジ６の左端部に取り付けられる必要がない。クランプ要素２０は、ガスカートリッジ６に取り付けられない点で、開放機構が起動される場合、張力がかけられたバネ要素１５を通じて起動されるキャップ４は、自動的に閉鎖位置から解放位置に移行する。
【００５２】
したがって、ボタンを起動した後、キャップ４は、自動的に、少しだけバネ開放が可能である。ガスカートリッジ６の右方向の移動を伴うキャップ４の完全開放のため、使用者は、それぞれの動作を実施しなければならない。
【００５３】
図１１は、図６に表示されるように、キャップ４が開放された横断ラインＢ−Ｂに沿ったハンドル３を通る長手方向の横断部を示す。ここで、ガスカートリッジ６は、保持装置５の壁部分８の右側部に取り付けられているので、取り外し位置にある。図１０と比較すると、図１１のニードルバルブ１０がガスカートリッジ６に挿入されていないことが分かる。
【００５４】
図１２は、キャップ４を開放位置にスナップさせるように構成されたスナップ係合手段の斜視図を示す。図１２の斜視図は、キャップ４のピボット式ベアリングを示し、これは、その端部で、旋回軸１９でピボット取付けされるクランプ２０に特徴がある。旋回軸１９の周囲には、円筒スペーサ２１が配置されている。円筒スペーサの前部側部は、少なくとも一つの突起２２を有し、突起２２は、異なる大きさの、２つの典型的凹部を有する。円筒スペーサに対する接触部分の領域において、クランプ要素２０は、突起２２に対応する突起２３に特徴がある。キャップ４の回転と、クランプ要素２０の付随する旋回を通じて、突起２２，２３の両方は、互いに変位される。クランプ要素２０とスペーサ２１またはキャップ４のプラスチック材料固有の可撓性のため、これらは、互いに向き合う場合に屈する。キャップ４の開放位置になる場合、突起２３は、凹部２５内にある。両方の突起２２，２３の幾何学的形状は、キャップ４が、単に重量でスナップ閉鎖することが防止されている。したがって、ここで表されたスナップ係合手段は、キャップ４が自動的かつ潜在的に意図されずに、ガスカートリッジ６を交換する処理中にスナップ閉鎖されることを防止する。
【図面の簡単な説明】
【００５５】
【図１】図１は、ガスカートリッジが挿入されたヘアスタイリング装置の斜視図である。
【図２】図２は、ガスカートリッジが抽出されたヘアスタイリング装置の斜視図である。
【図３】図３は、キャップが開放されたガスカートリッジ用ハウジングの斜視図である。
【図４】図４は、キャップ内部の斜視図である。
【図５】図５は、保持装置の端部領域の斜視図である。
【図６】図６は、ヘアスタイリング装置を通る半径方向の横断面である。
【図７】図７は、図６で表示された切断Ｅ−Ｅに沿った横断面である。
【図８】図８は、図６で表示された切断Ｆ−Ｆに沿った横断面である。
【図９】図９は、キャップが開放された、図６に表示された切断Ａ−Ａに沿った長手方向の横断面である。
【図１０】図１０は、キャップが閉鎖された、図６に表示された切断Ａ−Ａに沿った長手方向の横断面である。
【図１１】図１１は、図６で表示された切断Ｂ−Ｂに沿ってヘアスタイリング装置を通る長手方向の横断面である。
【図１２】図１２は、スナップ機構を備えたキャップのピボット式ベアリングの斜視図である。
【符号の説明】
【００５６】
１…ヘアスタイリング装置、２…スタイリングロッド、３…ハンドル、４…キャップ、５…保持装置、６…ガスカートリッジ、７…スナップ係合要素、８…壁部分、９…起動要素、ボタン、１０…ピン、ニードルバルブ、１１，１２…ラッチ、１３、１４…アタッチメント、角面、１５…バネ荷重要素、バネ要素、１７，１８…スイッチ、１９…旋回軸、２０…突起、クランプ要素、クランプ、２１…スペーサ、２２，２３…突起、２４…バルブ、
【図１】
2008543392.tif 000003
【図２】
2008543392.tif 000004
【図３】
2008543392.tif 000005
【図４】
2008543392.tif 000006
【図５】
2008543392.tif 000007
【図６】
2008543392.tif 000008
【図７】
2008543392.tif 000009
【図８】
2008543392.tif 000010
【図９】
2008543392.tif 000011
【図１０】
2008543392.tif 000012
【図１１】
2008543392.tif 000013
【図１２】
2008543392.tif 000014
【国際調査報告】
2008543392.tif 000015
2008543392.tif 000016
2008543392.tif 000017
2008543392.tif 000018